(57)【特許請求の範囲】
【請求項１】
無機系凝集剤（ｃ）と反応させて焼却灰凝集汚泥（ｄ）に変えた焼却灰を、車台上に組み立てた熱処理加工設備に受け入れて水砕スラグ化する廃棄物の、焼却灰減容のための移動式溶融炉であって、
焼却灰凝集汚泥（ａ）を受け入れる一次ホッパ（２ｂ）と、該凝集汚泥を約３００℃以下によって乾燥する乾燥炉（３）と、得られた乾燥汚泥（ｄ）を一時貯留する二次ホッパ（３ａ）と、乾燥汚泥（ｄ）を約１４５０℃以下により溶融処理する汚泥溶融炉（５）と、その溶融処理により生成する焼却灰スラグ（ｆ）を水冷するスラグ水砕槽（７）とを順次配設すると共に、乾燥炉（３）から排出する排ガス（ｇ）を受け入れる排ガス処理設備（２０）を付設して成る焼却灰減容設備（１）を車台（１１）上に構成し、汚泥溶融炉（５）は、高温耐熱性を有するセラミックチュ−ブ（６）とその外周に付設する加熱ヒ−タ（６ｂ）とから成る加熱部を、その上部に乾燥汚泥（ｄ）受入口を配置し、その内部で溶融する焼却灰スラグ（ｆ）がその下部から排出するように傾斜状に配置して据え付け、前記加熱部内で溶融処理中の乾燥汚泥（ｄ）が下方へ移動するに従い、セラミックチュ−ブ（６）内溶融温度を高めていくように間接加熱可能にする加熱操作を行うことを特徴とする焼却灰減容のための移動式溶融炉。
【請求項２】
汚泥溶融炉（５）の加熱部を構成するセラミックチュ−ブ（６）の内部空間構造を、そのチュ−ブ軸方向に沿って複数に分割する区画に分けた上で、それら各区画に対し、チュ−ブ外周に付設する加熱ヒ−タ（６ｂ）を個別に昇温制御操作可能に構成することを特徴とする請求項１記載の焼却灰の移動式溶融炉。
【発明の詳細な説明】
【０００１】
【発明が属する技術分野】
本発明は、廃棄物を含む可燃物を焼却し体積を減らした焼却灰を、更に減容化する焼却灰の溶融炉に係り、特に異なる発生場所又は保管場所にある焼却灰を、それらの場所を巡回し、巡回先で灰を減容し、その時に発生するダイオキシン物質が生じない高温熱処理を可能にする移動式溶融炉に関するものである。
【０００２】
【従来の技術】
車台上に廃棄物処理を行える設備を車載して、巡回先または廃棄物の回収中に処理操作する技術として、圧縮、粉砕、燃焼などで減容する開示例がある。ここで廃棄物処理には、副次的に派生する環境汚染物質を抑制する問題点をクリアすることが必要である。
熱処理時に発生するダイオキシンは、青酸カリの千倍以上の猛毒を有する混合物で、塩素ガスを結合するＰＣＤＤとＰＣＤＦの異性体類から成る焼却により発生し、６００℃以下では極めて安定な物質である。特に３００℃以下では灰の表面で塩化銅を触媒としてダイオキシンは生成し、一方、８００℃以上では９９％以上が分解すると言われる。このダイオキシンを燃焼処理して無害化する技術に、約１３００℃以上の高温熱処理により焼却灰を処理する溶融固化法、還元雰囲気焼却法、３００℃以下でアルミや鉄を脱ハロゲン化する工法、９００℃以下あるいは３００〜４００℃雰囲気中で特定薬剤を反応させる特定薬剤投入法などが開示されている。
【０００３】
さらに焼却灰取扱に伴う処理として、飛灰抑制または灰集塵などが求められ、灰への水撒きや電気集塵器、バッグフィルタによる灰捕集技術が適用される。あるいは飛灰抑制のために焼却灰を加湿や汚泥化してもよい。
汚泥化技術に適用できる従来技術を、図５（Ａ）に示す図によって説明する。ここに、焼却灰ａを汚濁物質ａ、焼却灰汚泥ｄを濃縮汚泥ｄ、焼却灰前処理設備１９を前処理設備１９と読み替えるものとする。
汚濁物質ａを、凝集反応槽９に投入し、凝集剤ｃを混入する溶解水ｂ１と反応させて凝集汚泥に変える。凝集剤ｃには、凝集フロックが大きく沈降速度が速い有機系ないし高分子系（例、ポリアクリルアミド系）薬剤、硫酸アルミニウムなどのアルミ系やポリ硫酸第二鉄などの鉄系から成る無機系薬剤、さらに鉄系の助剤となる石灰をさす無機系薬剤がある。汚濁物質ａを溶解水に溶かした凝集剤ｃを加えてミキサーにより攪拌、反応させ、反応生成したスラリーを凝集灰沈殿槽９ａに移して所定時間滞留させ、その後に上澄み清澄水は水面より排水ｈし、沈殿、分離した凝集汚泥は濃縮汚泥ｄとして取り出す。この濃縮汚泥は次工程で脱水機によってケーキ化して減容される。濃縮汚泥を取り出すまでの工程設備を前処理設備１９といい、廃水処理・用水の除濁処理、用水スラッジの濃縮などに慣用されている。
【０００４】
さらに焼却灰の減容処理の従来技術として、スラグ化技術、特に熱処理時に発生する有害物質のダイオキシンを生じさせないで高温処理を行う灰溶融技術が開示されている（特開２００２−１８１３２２号公報）。この開示例では、溶融化焼却灰が炉床を傷めることのない技術を示している。
この技術は、図５（Ｂ）に示すように、焼却灰溶融設備（以下、灰溶融設備という）１によって高温熱処理する。炉床を長寿命化するために、水分５％以下のアルミ成分と酸化鉄成分を含むテルミット反応剤を灰重量に対し約２０重量％混合した焼却灰ａを、焼却灰ホッパからプッシャによって汚泥熔融炉５に圧送し、傾斜度３０度以下に形成したキャスタブル耐火物製傾斜炉床１５上において、加熱バーナ１６によって燃料油ｋを噴射し、焼却灰を直接加熱して熔融、液化したスラグを水槽へ落として急冷、固化し、スラグ排出コンベア７ａにより排出する。
また前記汚泥溶融炉からの排出ガスｇは、排ガス処理設備２０によって温度を下げ、除湿して外気放出する。すなわち排ガス煙道１４を介してガス冷却水ｂ３によって冷却する排気冷却塔２２において、排出ガス温度を急冷させ、排出ガスｇ中の冷却水を取り除き、随伴して運ばれた粉塵を内設するバッグフィルタで除塵する排気除湿装置２３を経て、排気ブロワ８ａを介して煙突１７より放出する。
【０００５】
ところで、廃棄物処理を車載設備によって行う公開技術には、焼却灰を溶融固化法によって処理する先行技術はない。公開技術がない理由として、車載設備に纏める場合、ダイオキシンを無害化できる高温を取り扱う溶融固化法による規模の設備を重量制限以内では構築できない、仮に構築できたとしても、溶融固化法で生成する溶融スラグを排出する際に、溶融炉の湯口が低温になって、スラグが固化し、排出口を閉鎖し易いなど、越えるべき技術的課題があった。スラグを高温のまま取り出せる前記スラグ化技術の開示はあるが、焼却灰に水分５％以下のテルミット剤を混合する前処理装置を設け、車台上に重量のあるキャスタブル耐火物製炉床を構築するなど、車載設備に纏めるには規模、重量ともに過大であり、移動式溶融炉の車台上には構築できない。
【０００６】
廃棄物の焼却施設は、多くの場所で低温で行われ、施設を高温処理施設に替えるには所定期間、廃棄物の滞貨を招来する。一方、環境汚染につながるダイオキシン発生施設の放置や、埋立地の短命化は社会問題になっている。施設替えの予算は高価であり、焼却施設は余分には建設されていない。一般的に公的機関では、隣接行政区の焼却施設に、建て替え時の期間、融通し合って、焼却用廃棄物を持ち込み、焼却してもらうようにはなっていない。いわゆる灰化する究極の廃棄物減容化のためのセーフティネットは皆無であり、民間においては廃棄物処理業のための場所の確保はますます困難となり、不法投棄を増長する社会条件は高くなる傾向にある。特に廃棄物を灰化する究極の減容処理施設や無害化焼却場が増設されるような、社会整備の基盤が存在しない。
【０００７】
【発明が解決しようとする課題】
本発明は、上記問題点に鑑み、開発したもので、飛灰を生じることなく乾燥している焼却灰の前処理を行い、その前処理時に残留する物質が呈示する効果を複合的に活用して、灰の溶融化を容易にし、合わせてダイオキシン無害化に寄与し、かつ高温熱処理が可能な軽量化を実現しし、溶融スラグの炉外排出時に固化閉塞を生じない溶融炉を形成して、車台上に灰溶融と排ガス処理が可能な装置を組み合わせても全体が軽量で、焼却灰処理を必要とする巡回先での焼却灰の溶融処理を解決できる、移動式溶融炉を提供することを目的とするものである。
【０００８】
【課題を解決するための手段】
本発明に係る焼却灰の移動式溶融炉は、廃棄物の焼却灰を、アルミ系又は鉄系の金属成分を含む無機系疑集剤と凝集反応させて得る焼却灰凝集汚泥を供給して高温下で熱分解して水砕スラグ化する焼却灰減容のための移動式溶融炉であって、
焼却灰凝集汚泥受け入れ用の一次ホッパに、３００℃以下で乾燥する乾燥炉と、中間貯留用の二次ホッパ）と、乾燥汚泥をセラミックチュ−ブとその外周に付設する加熱ヒ−タによって約１４５０℃以下で高温処理する汚泥溶融炉と、生成焼却灰スラグを水冷するスラグ水砕槽とを順次配設し、合わせて乾燥炉から排出する排ガスを受け入れる排ガス処理設備を付設して成る焼却灰減容設備を車台上に組み立て搭載し、セラミックチュ−ブは、乾燥汚泥受入口を上部に、溶融する焼却灰スラグの出口を下部になる傾斜状に配置し、乾燥汚泥が下方へ移動するに従い、セラミックチュ−ブ内溶融温度が高くなるように間接加熱操作を行うようことを構成したものである。
【０００９】
さらに本発明の焼却灰減容のための移動式溶融炉は、セラミックチュ−ブ内部を、その軸方向に沿って複数の区画に分割し、チュ−ブ外周に設ける加熱ヒ−タの各区画を個別に昇温制御操作可能に構成するものである。なお、焼却灰減容のための移動式溶融炉を、以下、単に焼却灰の移動式溶融炉と称する。
【００１０】
以上のように構成した本発明の焼却灰の移動式溶融炉は、焼却灰供給先が行う焼却灰前処理によって、脱ハロゲン化可能な成分、アルミ系や鉄系を含む無機系凝集剤と反応させて得た焼却灰汚泥を溶融処理対象としたので、取扱中に飛灰現象を起こさない。乾燥炉内では前記焼却灰汚泥から多量の水蒸気を発生させ、かつ汚泥溶融炉中から上昇する高温ガスによって排ガス中の酸素を希薄化するので、排ガス処理設備に誘引される過程の水蒸気リッチの排ガスは潜熱が高く、その内部は比較的高い温度によって酸素過小空気すなわち還元性に近い雰囲気下にあり、ダイオキシンが低温下でも無害化反応が進行する条件を保持する。汚泥溶融炉に搬送された焼却灰汚泥は、内在するアルミ成分ないし鉄成分がコア物質になって易溶融化傾向を発揮し、溶融処理前にテルミット反応剤を加える必要が無い。そして前記コア物質成分によって、低温状態にある汚泥溶融炉搬送以前において脱ハロゲン化工法が進み、ダイオキシンの無害化反応は、前記還元性近似の雰囲気効果に加えて複合的に作用する。汚泥溶融炉での焼却灰溶融化はセラミックチューブ下端部を溶融化の最高温度に操作できるので、スラグ流が固化することはない。そして汚泥溶融炉床を高温耐熱性のセラミックチューブにより形成したので、汚泥溶融炉が大幅に軽量化した。
【００１１】
【発明の実施の形態】
以下、本発明に係る焼却灰の移動式溶融炉を図によって説明する。図１は、本発明の焼却灰の移動式溶融炉を説明するもので、（Ａ）はその全体構成を示すブロック図、（Ｂ）はその要部構成を示す側断面を含む部分側面図、図２は、本発明の実施例を説明するもので、（Ａ）はその平面図、（Ｂ）はその側面図、図３は、同じく移動式溶融炉に付設する汚泥払出装置の実施例を説明する側面図、そして図５の（Ａ）は、従来技術を適用する焼却灰前処理設備の処理手順を示す模式図である。
本発明の焼却灰の移動式溶融炉は、図１（Ａ）に示すように、灰溶融設備１と排ガス処理設備２０を車台１１に搭載し、あるい図３に示す、焼却灰汚泥を引き取る巡回地に据え付ける汚泥払出装置２を加えて構成している。
図５（Ａ）に示すように、ここに焼却灰凝集汚泥ｄとは、巡回先、すなわち焼却灰発生場所において、予め乾燥状態の焼却灰ａを前記無機系凝集剤ｃと溶解水ｂ１と共に凝集反応槽９で混和、反応させ、該反応槽から抜き出した凝集フロックを凝集灰沈殿槽９ａに静置して沈殿させて得た沈殿汚泥であり、あるいは同様の凝集剤を溶解水に溶かした凝集剤溶解液（ｂ１＋ｃ）を焼却灰ａに噴霧ないし散布して、乾燥状態の焼却灰ａを塊状、顆粒状、スラリー状などにして、「湿らせた焼却灰」に変えた焼却灰を指す。
図１（Ａ）に示す灰溶融設備１は、焼却灰汚泥ｄを受け入れる一次ホッパ２ｂと、該一次ホッパ貯留の焼却灰汚泥ｄを、ここに記載しない乾燥炉搬送コンベアによって搬送して乾燥する乾燥炉３と、該乾燥炉において乾燥した焼却灰汚泥を一時貯留する二次ホッパ３ａと、該二次ホッパから乾燥した焼却灰汚泥ｄを汚泥溶融炉搬送コンベア（以下、汚泥搬送コンベアという）４ａによって搬送する汚泥溶融炉（以下、溶融炉という）５と、該溶融炉が排出する焼却灰スラグｆを水冷、水砕するスラグ水砕槽７と、該スラグ水砕槽から水砕スラグｆを車台外に搬出する、ここに記載しないスラグ排出コンベアとを加えて灰溶融車載設備を配設し、かつ乾燥炉３頂部に接続するガス煙道を介して排ガスを導く排ガス処理設備２０を設置して、車載設備１０を、車台１１上に組み立てて構成する。
【００１２】
図３に示すように、汚泥払出装置２は、内部空間にバケットコンベア２ａを内設する角柱の側面全体を逆Ｌ字型に形成し、直立して構成するもので、該角柱の水平部下側に車載設備１０が移動できるように据付け、前記角柱の両端に焼却灰汚泥の受入口２４と払出口２５を配設して、該車載設備が稼働するときに汚泥払出操作が連動して、前記直立角柱の下部に設ける受入口２４から受け入れる焼却灰汚泥ｄが、前記コンベアにより揚上、搬送され、角柱水平部先端に開口する払出口２５から払い出し、その下部に停止して開口する車載設備１０の一時ホッパ２ｂに投入され、乾燥炉搬送コンベア４に搬送できるように構成している。
【００１３】
図１（Ｂ）に示すように、溶融炉５は、二次ホッパ３ａからの汚泥を受け入れる汚泥搬送コンベア４ａを挿設し、該汚泥搬送コンベアの搬出端に、加熱ヒータ６ｂを付設するセラミックチューブ６を下流側が下方に位置するように傾斜させて配設し、さらに該セラミックチューブの下端開口部を、溶融物がスラグ水砕槽７へ直接、落下するように固設して構成する。セラミックチューブ６は、チューブ内部で処理する汚泥の溶融化に充分耐える高温耐熱性、構造強度を有し、前記加熱ヒータは、チューブ下端開口部を含む溶融化最終工程の下流側部分が最高の溶融温度に昇温操作可能となるように構成している。なお、図１（Ｂ）に示す加熱ヒータ６ａは、ここに図示しないがセラミックチューブ６下部側に、両側面加熱部や天井面加熱部を加えたり、下方の加熱体を上方のものより密に形成したり、あるいは長さ方向にチューブ付設の加熱ヒータを複数に区分してそれぞれの加熱能力を異ならせて上方から下方にかけて高温になるように電力量を制御したりして、チューブ内部の加熱状態を制御可能に構成する。ここに、３は乾燥炉、６ａは乾燥炉に付設する乾燥用ヒータ、７ａがスラグ排出コンベア、そして１２は車外に仮置きしたスラグ回収槽である。
【００１４】
【実施例】
本発明の、焼却灰の移動式溶融炉の実施例を図によって説明する。
図２に示すように、車台１１上に配設する移動式溶融炉３０は、外設する汚泥払出装置２のバケットコンベア２ａに整合する位置に、一次ホッパ２ｂを据え付け、その下部に乾燥炉搬送コンベア４が上向き搬送可能に乾燥炉３に貫通して設置される。該乾燥炉には乾燥炉搬送コンベア４下部に位置して、乾燥設定温度に保持される乾燥用加熱ヒータ６ａを付設する。乾燥炉３内を搬送中に焼却灰汚泥ｄは保有水分を蒸発させて、二次ホッパ３ａに移送し、順次、前記乾燥された汚泥を該二次ホッパ下部に配置する汚泥搬送コンベア４ａから溶融炉５内にあるセラミックチューブ６管内に搬送する。該セラミックチューブに付設して抵抗加熱を加える加熱ヒータ６ｂがチューブ内部の焼却灰汚泥ｄを、設定溶解温度まで昇温し、溶融スラグ化し、セラミックチューブ６下部開口端から直接、水を張ったスラグ水砕槽７に自然落下させる。水冷した溶解スラグｆは、スラグ排出コンベア７ａによって車外設置のスラグ回収槽１２へ搬出して集められる。ここにおいて、汚泥搬送コンベア４ａ内では焼却灰汚泥ｄは固形状を保持してセラミックチューブ６へ搬出され、溶融用の加熱ヒータ６ｂは、該セラミックチューブに受け入れ灰溶融が生じるまでの加熱操作を行う。ここに１３は、配電盤、制御盤を兼ねた操作盤であり、乾燥炉３及び溶融炉５には、内部が異常昇圧する対策として適宜に圧力開放弁を付設して炉内圧力を設定以下になるようにしている。
【００１５】
溶融炉５で生じる熱風は、ここに図示しない配管を通じて直接、及び溶融処理チューブ管内で生じた排気ガスｇと共に、汚泥搬送コンベア４ａ、二次ホッパ３ａ、乾燥炉３、ガス煙道１４を介して、従来手段を組み合わせて形成する排ガス処理装置２１に案内される。ここで乾燥、溶融の各処理時に発生する有害物を高温熱処理して無害、無臭化した後に、強制水冷却してほぼ温度５５℃以下にまで温度降下させるために、冷却水シャワーと内蔵する石灰石に、又は石灰水シャワーに排ガスを接触させて反応させる排気冷却塔２２を配設し、次いで隣接する排気除湿装置２３に移して排ガスから含有水分を除湿する。最後に冷却、除湿した排気ガスは排気ファン８によって外気に放出する。なお、排ガス排出管や蒸気発生箇所には適宜に重力ダンパー式開放弁を設置して暴発安全対策を処置すると共に、排ガス処理装置２１に供給する冷却水は、スラグ水砕槽７との間で、循環、再使用するので、所要の補給水量は抑制される。
【００１６】
このように構成した本発明の焼却灰の移動式溶融炉は、焼却灰汚泥受入から溶融スラグｆの回収までを、次のように処理操作する。ここに図４は、本発明に係る焼却灰の移動式溶融炉の処理手順を示す流れ図である。まず灰前処理設備１９と汚泥払出装置２を含む事前準備が完了し、焼却灰汚泥の連続供給が可能であって、本発明装置と連動可能状態にあるものとする。
制御系電源をＯＮして（Ｓ１）、順次、温度系やレベル系のセンサを感知可能にし、計測器や各コンベアや加熱操作のタイミングを決めるタイマが作動し、各水槽に配管する給水系や排水系、あるいは排ガス処理設備２０や排ガス系などに配置する各種センサが感知可能になり、次いで操作系電源をＯＮして（Ｓ２）、各配管系に配置する電磁弁、各炉や排気系に配置する各ヒータや各搬送コンベア、及び排気ファンがタイミングをとって起動可能になる。
焼却灰汚泥ｄを汚泥払出装置２に投入して該汚泥を受け入れるバケットコンベア２ａが搬送して（Ｓ３）、一次ホッパ２ｂに焼却灰汚泥ｄを受入れる（Ｓ４）。該ホッパの貯留量が払出レベルＭ１以上になると、乾燥炉搬送コンベア４がＯＮし（Ｓ５）、順次、汚泥搬送コンベア４ａをＯＮする（Ｓ６）。焼却灰汚泥ｄは乾燥炉３へ汚泥搬送され（Ｓ７）、その搬送中に乾燥処理される。乾燥済の焼却灰汚泥ｄは二次ホッパ３ａへ搬送貯留される（Ｓ８）。次いで二次ホッパの貯留汚泥は汚泥搬送コンベア４ａによって溶融炉５へ搬送する（Ｓ９）。該溶融炉にて溶融した焼却灰汚泥ｄは、溶融スラグｆに変わり、セラミックチューブ６内を流下してスラグ水砕槽７へ投入され（Ｓ１０）、該スラグ水砕槽で固化、水砕化したスラグは、スラグ排出コンベア７ａによって搬出し、車外へ排出する（Ｓ１１）。溶融炉５の起動時操作の加熱不十分のために不完全溶融物ｆ′が排出され、再溶融を必要とする場合には、前記したＳ３、Ｓ４、Ｓ８の適宜なステップに戻されて再処理される。ここに排ガス含有中の有害成分は、その無害化や無臭化のために、排ガス処理装置２１に内設する加熱ヒータを約９００℃に昇温操作する。なお、乾燥炉３は２５０℃〜３５０℃に、溶融炉は１１００℃〜１４５０℃に、それぞれ昇温操作する。
【００１７】
次に本発明の焼却灰の移動式溶融炉３０を運転操作した実施例を説明する。含水率６０％、処理量４５ｋｇ−ｄｒｙ／ｈの焼却灰汚泥ｄを乾燥、溶融処理した。その乾燥炉３長さ１．５ｍ、乾燥用ヒータ６ａに炭化珪素系抵抗ヒータ３１．４ｋｗ（加熱操作温度４００℃）、スクリュコンベア送り速度３〜１０ｒｐｍで操作する乾燥炉搬送コンベア４、それに前記素材から成る抵抗ヒータ２１ｋｗ（加熱操作温度１４５０℃）の加熱ヒータ６ｂを付設する１５０φセラミックチューブ６を配設する溶融炉５、付随設備の排ガス処理装置２１には前記抵抗ヒータ８ｋｗ（加熱操作温度９００℃）から成る無臭化処理用の加熱ヒータを配設して構成し、４ｔｏｎ積みロングボディ車の車台上に本発明に係る車載設備１０を搭載、構築した。この実施例において、焼却灰は、乾燥重量基準で５０〜６０％減量した溶融スラグになった。
排ガス処理設備からの排気ガスは、温度４５℃により放出できた。その排ガス放出成分は、環境基準値を下回るダイオキシン類０．００１３ｎｇ−ＴＥＱ／Ｎｍ３（基準０．１）、他の放出物質値は一酸化炭素１．０ｖｏｌｐｐｍ（基準１０．以下）、ダスト濃度０．０１ｇ／Ｎｍ３未満（基準０．１０以下）、硫黄酸化物０．１Ｎｍ３／ｈ未満（基準０．１以下）、窒素酸化物０．７ｖｏｌｐｐｍ（基準０．０４以下）、塩化水素４．３ｍｇ／Ｎｍ３（環境基準無表示物質）を示した。ここに括弧（）内数値は、環境基準値を、各対象物質に示す単位によって表示し、単位再表示を省略した。
【００１８】
【発明の効果】
本発明の、焼却灰の移動式溶融炉によれば、焼却灰減容処理を必要とする巡回先で、従来、焼却灰前処理には行われなかった凝集処理を加えて、アルミ系ないし鉄系から成る凝集剤を混入する焼却灰凝集汚泥に変え、該汚泥を間接加熱によって溶融化処理し、かつ排ガス処理設備を搭載して軽量化し、４ｔｏｎ積みロングボデイ車の車載設備に纏めて形成した技術であるので、混入凝集剤が焼却灰の溶融スラグ化を効果的にすると共に、排ガスのクリーン処理に有効に複合作用している。従って本発明装置によって、焼却灰汚泥の供給先に容易に巡回して、ダイオキシン無害化とスラグ化による減容処理ができので、焼却施設を休止して施設改善工事やメンテナンスを行ったり、埋め立て地区において焼却灰のスラグ化加工を行って処理済みの溶融灰を埋め立てることを可能にした。また巡回先焼却施設では、焼却灰溶融前処理をするために焼却灰汚泥を回収するので、その施設には飛灰問題は生じない。さらに焼却灰の減量化、廃棄物の究極の減容化のためのセーフティネット構築に寄与し、広域的にかつ機動的に廃棄物処理を行えるので、ゆとりある社会的環境基盤作りに貢献するなど、本発明による技術的、社会的効果は大きい。
【図面の簡単な説明】
【図１】本発明の焼却灰の移動式溶融炉を説明するもので、（Ａ）はその全体構成を示すブロック図、（Ｂ）はその要部構成を示す側断面を含む部分側面図でである。
【図２】本発明の焼却灰の移動式溶融炉の実施例を説明するもので、（Ａ）はその平面図、（Ｂ）はその側面図である。
【図３】同じく焼却灰の移動式溶融炉に付設する汚泥払出装置の実施例を説明する側面図である。
【図４】本発明に係る焼却灰の移動式溶融炉の処理手順を示す流れ図である。
【図５】従来技術とその適用技術を説明するもので、（Ａ）は従来技術を適用する焼却灰前処理設備の処理手順を示す模式図、（Ｂ）は従来技術による灰溶融設備と排ガス処理設備を示す模式図である。
【符号の説明】
１              （焼却）灰溶融設備
２              汚泥払出装置
２ａ            バケットコンベア
２ｂ            一次ホッパ
３              乾燥炉
３ａ            二次ホッパ
４              乾燥炉搬送コンベア
４ａ            汚泥（溶融炉）搬送コンベア
５              汚泥溶融炉（溶融炉）
６              セラミックチューブ
６ａ            ヒータ（乾燥用）
６ｂ            ヒータ（溶融用）
７              スラグ水砕槽
７ａ            スラグ排出コンベア
８              排気ファン
９              （凝集）反応槽
９ａ            （凝集灰）沈殿槽
１０              車載設備
１１              （移動）車台
１２              スラグ回収槽
１３              制御盤（配電／操作）
１４              ガス煙道
１５              炉床
１６              加熱バーナ
１７              煙突
１９              （焼却）灰前処理設備
２０              排ガス処理設備
２１              排ガス処理装置
２２              排気冷却塔
２３              排気除湿装置
２４              受入口（焼却灰汚泥の）
２５              払出口（同上）
３０              移動式溶融炉
ａ                焼却灰
ｂ１              （焼却灰）溶解水
ｂ２、ｂ３        冷却水
ｃ                凝集剤
ｄ                焼却灰（凝集）汚泥
ｆ、ｆ′          スラグ
ｇ                排ガス
ｈ                排水
ｋ                燃料（油）
【図１】
0004012980.tif 000002
【図２】
0004012980.tif 000003
【図３】
0004012980.tif 000004
【図４】
0004012980.tif 000005
【図５】
0004012980.tif 000006